(57)【要約】【課題】生体認証装置が読み込んだ生体情報と登録された生体情報との照合を高速に行うこと。【解決手段】入室希望者検出部１０５が入室が制限された部屋に入ろうとする入室希望者を検出してリーダ・ライタ制御部１１０に通知し、通知を受けたリーダ・ライタ制御部１１０がリーダ・ライタ１０を制御して入室希望者が保持するＵＨＦ帯の無線ＩＣタグからＩＤ番号を読み取り、照合用情報更新処理部１５０がリーダ・ライタ１０が無線ＩＣタグから読み取ったＩＤ番号を用いて照合対象となる生体情報を生体情報テーブル１３０から読み出して事前に照合用テーブル１４０に格納し、その後、生体認証装置３０から生体情報が送られてくると、照合処理部１６０が生体認証装置３０が読み取った生体情報を照合用テーブル１４０に格納された生体情報と照合するよう構成する。【選択図】        図２
2007066107.tif 000002
【特許請求の範囲】
【請求項１】
個人を識別する個人識別子と該個人の生体情報とを対応させて記憶した生体情報記憶手段を用いて生体情報の照合を行う生体情報照合装置であって、
前記生体情報記憶手段が記憶する生体情報の一部を記憶する照合用情報記憶手段と、
ＲＦＩＤタグから読み出した個人識別子に対応する生体情報を前記生体情報記憶手段から読み出して前記照合用情報記憶手段を更新する照合用情報更新手段と、
生体認証装置により入力された生体情報を前記照合用情報更新手段により更新された照合用情報記憶手段に記憶された生体情報と照合する照合手段と、
を備えたことを特徴とする生体情報照合装置。
【請求項２】
前記照合用情報更新手段は、ＲＦＩＤタグから読み出した個人識別子に対応する生体情報を前記生体情報記憶手段から読み出して前記照合用情報記憶手段に追加する際に、該照合用情報記憶手段に記憶される生体情報の数が所定の値以内になるように制御することを特徴とする請求項１に記載の生体情報照合装置。
【請求項３】
前記照合用情報更新手段は、ＲＦＩＤタグから一定の周期で読み出す個人識別子のうちの最新の個人識別子に対応する生体情報を前記照合用情報記憶手段が記憶するように該照合用情報記憶手段を更新することを特徴とする請求項１に記載の生体情報照合装置。
【請求項４】
前記照合用情報更新手段は、ＲＦＩＤタグから一定の周期で読み出す個人識別子のうちの最新の個人識別子に対応する生体情報のみを前記照合用情報記憶手段が記憶するように該照合用情報記憶手段を更新することを特徴とする請求項３に記載の生体情報照合装置。
【請求項５】
ＲＦＩＤタグから読み出した個人識別子の数が所定の値より大きい場合には、リーダ・ライタがＲＦＩＤタグを読み込む際の出力を下げるように制御する出力制御手段をさらに備えたことを特徴とする請求項３または４に記載の生体情報照合装置。
【請求項６】
前記出力制御手段は、ＲＦＩＤタグから読み出した個人識別子の数が零の状態で生体認証装置から生体情報が読み込まれた場合には、リーダ・ライタがＲＦＩＤタグを読み込む際の出力を上げるように制御することを特徴とする請求項５に記載の生体情報照合装置。
【請求項７】
個人を識別する個人識別子と該個人の生体情報とを対応させて記憶した生体情報記憶手段を用いて生体情報の照合を行う生体情報照合方法であって、
ＲＦＩＤタグから読み出した個人識別子に対応する生体情報を前記生体情報記憶手段から読み出して該生体情報記憶手段が記憶する生体情報の一部を記憶する照合用情報記憶手段を更新する照合用情報更新工程と、
生体認証装置により入力された生体情報を前記照合用情報更新工程により更新された照合用情報記憶手段に記憶された生体情報と照合する照合工程と、
を含んだことを特徴とする生体情報照合方法。
【請求項８】
個人を識別する個人識別子と該個人の生体情報とを対応させて記憶した生体情報記憶手段を用いて生体情報の照合を行う生体情報照合プログラムであって、
ＲＦＩＤタグから読み出した個人識別子に対応する生体情報を前記生体情報記憶手段から読み出して該生体情報記憶手段が記憶する生体情報の一部を記憶する照合用情報記憶手段を更新する照合用情報更新手順と、
生体認証装置により入力された生体情報を前記照合用情報更新手順により更新された照合用情報記憶手段に記憶された生体情報と照合する照合手順と、
をコンピュータに実行させることを特徴とする生体情報照合プログラム。
【発明の詳細な説明】
【技術分野】
【０００１】
この発明は、個人を識別する個人識別子と個人の生体情報とを対応させて記憶して生体情報の照合を行う生体情報照合装置、生体情報照合方法および生体情報照合プログラムに関し、特に、照合対象の生体情報を事前に絞込み、もって照合に必要な処理時間を短縮することができる生体情報照合装置、生体情報照合方法および生体情報照合プログラムに関するものである。なお、生体情報の例としては、静脈、指紋、虹彩などの情報がある。
【背景技術】
【０００２】
従来、生体情報を用いて認証を行う場合には、登録された生体情報と生体認証装置が読み込んだ生体情報を１件ずつ比較すると認証に時間がかかるため、個人のＩＤ番号と生体情報を紐付けて登録し、ＩＤ番号を用いて生体情報を検索することによって認証時間の短縮をはかっている。
【０００３】
また、ＩＤ番号を利用者に入力させる手間を省くために、利用者が保持する無線ＩＣタグ（ＲＦＩＤタグ）からＩＤ番号を読み取って利用することも行われている（例えば、特許文献１参照。）。
【０００４】
【特許文献１】特開２００５−１４８９８２号公報
【発明の開示】
【発明が解決しようとする課題】
【０００５】
しかしながら、ＩＤ番号を用いて生体情報の検索を高速化したとしても、多数の生体情報から比較対象の生体情報を検索する処理には、依然として時間がかかるという問題がある。
【０００６】
この発明は、上述した従来技術による問題点を解消するためになされたものであり、照合対象の生体情報を事前に絞込み、もって照合に必要な処理時間を短縮することができる生体情報照合装置、生体情報照合方法および生体情報照合プログラムを提供することを目的とする。
【課題を解決するための手段】
【０００７】
上述した課題を解決し、目的を達成するため、請求項１の発明に係る生体情報照合装置は、個人を識別する個人識別子と該個人の生体情報とを対応させて記憶した生体情報記憶手段を用いて生体情報の照合を行う生体情報照合装置であって、前記生体情報記憶手段が記憶する生体情報の一部を記憶する照合用情報記憶手段と、ＲＦＩＤタグから読み出した個人識別子に対応する生体情報を前記生体情報記憶手段から読み出して前記照合用情報記憶手段が記憶する生体情報を更新する照合用情報更新手段と、生体認証装置により入力された生体情報を前記照合用情報更新手段により更新された照合用情報記憶手段に記憶された生体情報と照合する照合手段と、を備えたことを特徴とする。
【０００８】
この請求項１の発明によれば、生体情報記憶手段が記憶する生体情報の一部を照合用情報記憶手段が記憶し、ＲＦＩＤタグから読み出した個人識別子に対応する生体情報を前記生体情報記憶手段から読み出して照合用情報記憶手段が記憶する生体情報を更新し、生体認証装置により入力された生体情報を更新した照合用情報記憶手段に記憶された生体情報と照合するよう構成したので、照合対象の生体情報を事前に絞込んで照合を行うことができる。
【０００９】
また、請求項２の発明に係る生体情報照合装置は、請求項１の発明において、前記照合用情報更新手段は、ＲＦＩＤタグから読み出した個人識別子に対応する生体情報を前記生体情報記憶手段から読み出して前記照合用情報記憶手段に追加する際に、該照合用情報記憶手段に記憶される生体情報の数が所定の値以内になるように制御することを特徴とする。
【００１０】
この請求項２の発明によれば、ＲＦＩＤタグから読み出した個人識別子に対応する生体情報を生体情報記憶手段から読み出して照合用情報記憶手段に追加する際に、照合用情報記憶手段に記憶される生体情報の数が所定の値以内になるように制御するよう構成したので、照合対象の生体情報を事前に所定の数以内に絞込んで照合を行うことができる。
【００１１】
また、請求項３の発明に係る生体情報照合装置は、請求項１の発明において、前記照合用情報更新手段は、ＲＦＩＤタグから一定の周期で読み出す個人識別子のうちの最新の個人識別子に対応する生体情報を前記照合用情報記憶手段が記憶するように該照合用情報記憶手段を更新することを特徴とする。
【００１２】
この請求項３の発明によれば、ＲＦＩＤタグから一定の周期で読み出す個人識別子のうちの最新の個人識別子に対応する生体情報を照合用情報記憶手段が記憶するように照合用情報記憶手段を更新するよう構成したので、所定の範囲にいる人を照合対象とすることができる。
【００１３】
また、請求項４の発明に係る生体情報照合装置は、請求項３の発明において、前記照合用情報更新手段は、ＲＦＩＤタグから一定の周期で読み出す個人識別子のうちの最新の個人識別子に対応する生体情報のみを前記照合用情報記憶手段が記憶するように該照合用情報記憶手段を更新することを特徴とする。
【００１４】
この請求項４の発明によれば、ＲＦＩＤタグから一定の周期で読み出す個人識別子のうちの最新の個人識別子に対応する生体情報のみを照合用情報記憶手段が記憶するように照合用情報記憶手段を更新するよう構成したので、照合対象の生体情報を適切に絞込んで照合を行うことができる。
【００１５】
また、請求項５の発明に係る生体情報照合装置は、請求項３または４の発明において、ＲＦＩＤタグから読み出した個人識別子の数が所定の値より大きい場合には、リーダ・ライタがＲＦＩＤタグを読み込む際の出力を下げるように制御することを特徴とする。
【００１６】
この請求項５の発明によれば、ＲＦＩＤタグから読み出した個人識別子の数が所定の値より大きい場合には、リーダ・ライタがＲＦＩＤタグを読み込む際の出力を下げるように制御するよう構成したので、照合対象の生体情報の数を適切に制限することができる。
【００１７】
また、請求項６の発明に係る生体情報照合装置は、請求項５の発明において、前記出力制御手段は、ＲＦＩＤタグから読み出した個人識別子の数が零の状態で生体認証装置から生体情報が読み込まれた場合には、リーダ・ライタがＲＦＩＤタグを読み込む際の出力を上げるように制御することを特徴とする。
【００１８】
この請求項６の発明によれば、ＲＦＩＤタグから読み出した個人識別子の数が零の状態で生体認証装置から生体情報が読み込まれた場合には、リーダ・ライタがＲＦＩＤタグを読み込む際の出力を上げるように制御するよう構成したので、読み込み環境の変化に対応してＲＦＩＤタグを読み取ることができる。
【００１９】
また、請求項７の発明に係る生体情報照合方法は、個人を識別する個人識別子と該個人の生体情報とを対応させて記憶した生体情報記憶手段を用いて生体情報の照合を行う生体情報照合方法であって、ＲＦＩＤタグから読み出した個人識別子に対応する生体情報を前記生体情報記憶手段から読み出して該生体情報記憶手段が記憶する生体情報の一部を記憶する照合用情報記憶手段を更新する照合用情報更新工程と、生体認証装置により入力された生体情報を前記照合用情報更新工程により更新された照合用情報記憶手段に記憶された生体情報と照合する照合工程と、を含んだことを特徴とする。
【００２０】
この請求項７の発明によれば、生体情報記憶手段が記憶する生体情報の一部を照合用情報記憶手段が記憶し、ＲＦＩＤタグから読み出した個人識別子に対応する生体情報を前記生体情報記憶手段から読み出して照合用情報記憶手段が記憶する生体情報を更新し、生体認証装置により入力された生体情報を更新した照合用情報記憶手段に記憶された生体情報と照合するよう構成したので、照合対象の生体情報を事前に絞込んで照合を行うことができる。
【００２１】
また、請求項８の発明に係る生体情報照合プログラムは、個人を識別する個人識別子と該個人の生体情報とを対応させて記憶した生体情報記憶手段を用いて生体情報の照合を行う生体情報照合プログラムであって、ＲＦＩＤタグから読み出した個人識別子に対応する生体情報を前記生体情報記憶手段から読み出して該生体情報記憶手段が記憶する生体情報の一部を記憶する照合用情報記憶手段を更新する照合用情報更新手順と、生体認証装置により入力された生体情報を前記照合用情報更新手順により更新された照合用情報記憶手段に記憶された生体情報と照合する照合手順と、をコンピュータに実行させることを特徴とする。
【００２２】
この請求項８の発明によれば、生体情報記憶手段が記憶する生体情報の一部を照合用情報記憶手段が記憶し、ＲＦＩＤタグから読み出した個人識別子に対応する生体情報を前記生体情報記憶手段から読み出して照合用情報記憶手段が記憶する生体情報を更新し、生体認証装置により入力された生体情報を更新した照合用情報記憶手段に記憶された生体情報と照合するよう構成したので、照合対象の生体情報を事前に絞込んで照合を行うことができる。
【発明の効果】
【００２３】
請求項１、７および８の発明によれば、照合対象の生体情報を事前に絞込んで照合を行うので、照合に必要な処理時間を短縮することができるという効果を奏する。
【００２４】
また、請求項２の発明によれば、照合対象の生体情報を事前に所定の数以内に絞込んで照合を行うので、照合に必要な処理時間を短縮することができるという効果を奏する。
【００２５】
また、請求項３の発明によれば、所定の範囲にいる人を照合対象とするので、照合に必要な処理時間を短縮することができるという効果を奏する。
【００２６】
また、請求項４の発明によれば、照合対象の生体情報を適切に絞込んで照合を行うので、照合に必要な処理時間を短縮することができるという効果を奏する。
【００２７】
また、請求項５の発明によれば、照合対象の生体情報の数を適切に制限するので、照合に必要な処理時間を短縮することができるという効果を奏する。
【００２８】
また、請求項６の発明によれば、読み込み環境の変化に対応してＲＦＩＤタグを読み取るので、ＲＦＩＤタグの読み取りミスを少なくすることができるという効果を奏する。
【発明を実施するための最良の形態】
【００２９】
以下に添付図面を参照して、この発明に係る生体情報照合装置、生体情報照合方法および生体情報照合プログラムの好適な実施例を詳細に説明する。なお、本実施例では、本発明を入室が制限された部屋への入室制御に適用した場合を中心に説明する。
【実施例１】
【００３０】
まず、本実施例１に係る生体認証システムの概念について説明する。図１は、本実施例１に係る生体認証システムの概念を説明するための説明図である。同図に示すように、この生体認証システムは、生体認証を行う生体認証装置３０とＵＨＦ帯無線ＩＣタグのリーダ・ライタ１０とがＬＡＮ４０を介して生体情報照合装置１００に接続されて構成される。
【００３１】
リーダ・ライタ１０は、入室が制限された部屋に入ろうとする入室希望者を検出して入室希望者が所持するＩＤカードや身分証明書に添付されたＵＨＦ帯の無線ＩＣタグ５０から入室希望者のＩＤ番号をアンテナ２０を用いて読み出し、ＬＡＮ４０を介して生体情報照合装置１００に送信する装置である。
【００３２】
生体認証装置３０は、入室希望者の生体情報を読み取り、ＬＡＮ４０を介して生体情報照合装置１００に送信する装置である。
【００３３】
生体情報照合装置１００は、入室が許可された入室許可取得者の生体情報がＩＤ番号と対応付けられて登録された生体情報テーブル１３０を有し、リーダ・ライタ１０から送られてくるＩＤ番号を用いて生体認証装置３０から送られてくる生体情報を生体情報テーブル１３０に登録されている生体情報と照合し、照合が成功した場合には鍵を開錠する入室許可処理を行う装置である。
【００３４】
ただし、この生体情報照合装置１００は、生体認証装置３０から送られてくる生体情報を生体情報テーブル１３０に登録されている生体情報と直接照合するのではなく、照合用テーブル１４０に記憶された生体情報と照合する。ここで、照合用テーブル１４０は、生体情報テーブル１３０に登録された生体情報のうち、リーダ・ライタ１０からＩＤ番号が送られてきた生体情報だけを一時的に記憶し、生体認証装置３０から送られてくる生体情報との照合に用いられるテーブルである。
【００３５】
すなわち、リーダ・ライタ１０が入室者を検出して入室者のＩＤ番号を送信すると、生体情報照合装置１００は受信したＩＤ番号に対応する生体情報を生体情報テーブル１３０から取り出して照合用テーブル１４０に複写する。その後、生体認証装置３０から生体情報が送られてくると、生体情報照合装置１００は照合用テーブル１４０に記憶された生体情報と照合を行う。
【００３６】
このように、本実施例１に係る生体情報照合装置１００は、リーダ・ライタ１０から送られてきたＩＤ番号に対応する生体情報だけを事前に照合用テーブル１４０に一時的に記憶し、生体認証装置３０から送られてくる生体情報を照合用テーブル１４０を用いて照合することによって、照合対象となる生体情報の数を減らし、照合を高速化することができる。
【００３７】
なお、照合用テーブル１４０は、所定の数、例えば１０個までの生体情報を記憶し、生体情報テーブル１３０から複写される生体情報の数が１０個を越えると古いものから順に生体情報が消去される。
【００３８】
また、本実施例１では、ＵＨＦ帯のＲＦＩＤを用いることによって、無線ＩＣタグ５０をリーダ・ライタ１０に近づける必要がなく、無線ＩＣタグ５０の読み取りを容易にすることができる。
【００３９】
また、ここでは生体認証装置３０とリーダ・ライタ１０がＬＡＮ４０を介して生体情報照合装置１００に接続される場合について説明したが、生体認証装置３０とリーダ・ライタ１０をＵＳＢなど他の接続手段を用いて生体情報照合装置１００に接続することもできる。
【００４０】
次に、本実施例１に係る生体情報照合装置１００の構成について説明する。図２は、本実施例１に係る生体情報照合装置１００の構成を示す機能ブロック図である。同図に示すように、この生体情報照合装置１００は、入室希望者検出部１０５と、リーダ・ライタ制御部１１０と、生体認証装置制御部１２０と、生体情報テーブル１３０と、照合用テーブル１４０と、照合用情報更新処理部１５０と、照合処理部１６０と、入室拒否処理部１７０と、入室許可処理部１８０と、入室履歴データ記憶部１９０とを有する。
【００４１】
入室希望者検出部１０５は、入室が制限された部屋に入室しようとする入室希望者を図示しないセンサを用いて検出する処理部であり、入室希望者を検出すると、リーダ・ライタ制御部１１０に通知する。
【００４２】
リーダ・ライタ制御部１１０は、リーダ・ライタ１０を制御する制御部であり、入室希望者検出部１０５から入室希望者を検出したことを通知されると、リーダ・ライタ１０を起動してＵＨＦ帯の無線ＩＣタグ５０の読み取りを指示し、無線ＩＣタグ５０から読み取ったＩＤ番号をリーダ・ライタ１０から受け取って照合用情報更新処理部１５０に渡す。
【００４３】
生体認証装置制御部１２０は、生体認証装置３０を制御する制御部であり、入室希望者の生体情報を生体認証装置３０から受け取って照合処理部１６０に渡す。また、この生体認証装置制御部１２０は、リーダ・ライタ１０によって読み取られたＩＤ番号に対応する生体情報と生体認証装置３０が読み取った生体情報が照合しない場合には、生体認証装置３０に備え付けられたＩＤ番号読取装置を用いてＩＤ番号を読み込むように指示し、読み込んだＩＤ番号を照合用情報更新処理部１５０に渡す。
【００４４】
生体情報テーブル１３０は、入室を許可された入室許可取得者の生体情報を記憶するテーブルである。図３は、生体情報テーブル１３０の一例を示す図である。同図に示すように、この生体情報テーブル１３０は、入室許可取得者ごとにＩＤ番号と生体情報とを対応させて記憶する。例えば、ＩＤ番号が「１１１１１」である入室許可取得者の生体情報は「生体Ａ」である。
【００４５】
照合用テーブル１４０は、リーダ・ライタ１０によりＩＤ番号が読み取られた入室者の生体情報を生体認証装置３０から送られてくる生体情報との照合用に一時的に記憶するテーブルである。図４は、照合用テーブル１４０の一例を示す図である。同図に示すように、この照合用テーブル１４０は、生体情報テーブル１３０から読み出された生体情報を所定の個数まで記憶する。この例では、生体情報テーブル１３０から読み出された「生体Ｃ」や「生体Ａ］などの生体情報が記憶されている。
【００４６】
照合用情報更新処理部１５０は、リーダ・ライタ制御部１１０から受け取ったＩＤ番号に対応する生体情報を生体情報テーブル１３０から読み出して照合用テーブル１４０に書き込む処理部である。この照合用情報更新処理部１５０は、照合用テーブル１４０に既に最大個数の生体情報が格納されている場合には、最も古い生体情報を削除して新たな生体情報を格納する。
【００４７】
照合処理部１６０は、生体認証装置制御部１２０から受け取った生体情報を照合用テーブル１４０に記憶された生体情報と照合する処理部であり、照合に成功すると入室許可処理部１８０に入室許可処理を指示し、照合に失敗すると入室拒否処理部１７０に入室拒否処理を指示する。
【００４８】
照合用情報更新処理部１５０が、リーダ・ライタ制御部１１０から受け取ったＩＤ番号に対応する生体情報を生体情報テーブル１３０から読み出して照合用テーブル１４０に書き込み、照合処理部１６０が照合用テーブル１４０に格納された生体情報だけを対象として照合を行うことによって、照合処理を高速化することができる。
【００４９】
入室拒否処理部１７０は、照合処理部１６０の指示に基づいて入室希望者の入室を拒否する処理を行う処理部であり、入室拒否メッセージの表示や入室拒否履歴の記録などの処理を行う。
【００５０】
入室許可処理部１８０は、照合処理部１６０の指示に基づいて入室希望者の入室を許可する処理を行う処理部であり、入室に使用されるドアの開錠や入室履歴の記録などの処理を行う。
【００５１】
入室履歴データ記憶部１９０は、入室履歴や入室拒否履歴などを記憶する記憶部であり、入室が制限された部屋への入室状況の分析などに用いられる。
【００５２】
次に、本実施例１に係る生体認証システムの処理手順について説明する。図５は、本実施例１に係る生体認証システムの処理手順を示すフローチャートである。同図に示すように、この生体認証システムは、無線ＩＣタグ５０の保持者が入室が制限されている限定エリアに侵入しようとしていることを生体情報照合装置１００の入室希望者検出部１０５が検出すると（ステップＳ１０１、Ｙｅｓ）、リーダ・ライタ制御部１１０がリーダ・ライタ１０に無線ＩＣタグ５０の読み取りを指示し、リーダ・ライタ１０が無線ＩＣタグ５０の情報を読み取る（ステップＳ１０２）。
【００５３】
そして、リーダ・ライタ１０が無線ＩＣタグ５０から読み取ったＩＤ番号を生体情報照合装置１００に送信し（ステップＳ１０３）、生体情報照合装置１００のリーダ・ライタ制御部１１０によって受信されたＩＤ番号を用いて照合用情報更新処理部１５０が生体情報テーブル１３０から生体情報を検索し（ステップＳ１０４）、照合用テーブル１４０に格納する（ステップＳ１０５）。
【００５４】
その後、入室希望者が生体認識装置３０に生体情報の認識を行わせると、生体認証装置３０が読み取った生体情報を生体情報照合装置１００に送信し、生体情報照合装置１００の生体認識装置制御部１２０が生体情報を受信すると（ステップＳ１０６、Ｙｅｓ）、照合処理部１６０が生体認識装置制御部１２０から生体情報を受け取って照合用テーブル１４０の生体情報と比較する（ステップＳ１０７）。
【００５５】
そして、照合処理部１６０は、一致する生体情報が照合用テーブル１４０にあるか否かを判定し（ステップＳ１０８）、一致する生体情報が照合用テーブル１４０にある場合には、入室許可処理部１８０がドアの開錠や入室履歴の格納などの入室許可処理を行い（ステップＳ１０９）、照合処理部１６０が照合のとれた生体情報を照合用テーブル１４０から削除する（ステップＳ１１０）。
【００５６】
一方、一致する生体情報が照合用テーブル１４０に無い場合には、照合処理部１６０は、生体認証装置制御部１２０に対して生体認証装置３０に備えられたＩＤ番号読取装置からＩＤ番号の読み取りを指示する（ステップＳ１１１）。そして、生体認証装置制御部１２０は、ＩＤ番号読取装置が読み取ったＩＤ番号を照合用情報更新処理部１５０に渡し、照合用情報更新処理部１５０がＩＤ番号を用いて生体情報テーブル１３０から生体情報を検索し、照合用テーブル１４０に格納する（ステップＳ１１２）。
【００５７】
そして、照合処理部１６０が生体認証装置３０が読み取った生体情報を照合用テーブル１４０の生体情報と比較し（ステップＳ１１３）、一致する生体情報が照合用テーブル１４０にあるか否かを判定する（ステップＳ１１４）。その結果、一致する生体情報が照合用テーブル１４０にある場合には、ステップＳ１０９に進み、一致する生体情報が照合用テーブル１４０に無い場合には、入室拒否処理部１７０が入室拒否メッセージの表示や入室拒否履歴の記録などの入室拒否処理を行い（ステップＳ１１５）、処理を終了する。
【００５８】
上述してきたように、本実施例１では、入室希望者検出部１０５が入室が制限された部屋に入ろうとする入室希望者を検出してリーダ・ライタ制御部１１０に通知し、通知を受けたリーダ・ライタ制御部１１０がリーダ・ライタ１０を制御して入室希望者が保持するＵＨＦ帯の無線ＩＣタグ５０からＩＤ番号を読み取り、照合用情報更新処理部１５０がリーダ・ライタ１０が無線ＩＣタグ５０から読み取ったＩＤ番号を用いて照合対象となる生体情報を生体情報テーブル１３０から読み出して事前に照合用テーブル１４０に格納し、その後、生体認証装置３０から生体情報が送られてくると、照合処理部１６０が生体認証装置３０が読み取った生体情報を照合用テーブル１４０に格納された生体情報と照合することとしたので、照合対象の生体情報の数を減らし、照合処理を高速に行うことができる。
【実施例２】
【００５９】
ところで、上記実施例１では、リーダ・ライタ１０が無線ＩＣタグ５０から読み取ったＩＤ番号の生体情報を順に生体情報テーブル１３０から読み出して照合用テーブル１４０に格納する場合について説明したが、照合用テーブルに無線ＩＣタグ５０から読み取ったＩＤ番号の生体情報を順に格納する代わりに、一定の領域にいる入室希望者全員の生体情報を照合用テーブルに格納して照合に利用することもできる。そこで、本実施例２では、一定の領域にいる入室希望者全員の生体情報を照合用テーブルに格納して照合に利用する生体情報照合装置について説明する。
【００６０】
まず、本実施例２に係る生体情報照合装置２００の構成について説明する。図６は、本実施例２に係る生体情報照合装置２００の構成を示す機能ブロック図である。同図に示すように、この生体情報照合装置２００は、リーダ・ライタ制御部２１０と、生体認証装置制御部１２０と、生体情報テーブル１３０と、照合用テーブル２４０と、照合用情報更新処理部２５０と、照合処理部２６０と、入室拒否処理部１７０と、入室許可処理部１８０と、入室履歴データ記憶部１９０とを有する。なお、ここでは説明の便宜上、図２に示した各部と同様の役割を果たす機能部については同一符号を付すこととしてその詳細な説明を省略する。
【００６１】
リーダ・ライタ制御部２１０は、一定の周期でリーダ・ライタ６０に無線ＩＣタグ５０の読み取りを指示する制御部である。ここで、このリーダ・ライタ制御部２１０が無線ＩＣタグ５０の読み取りを指示するリーダ・ライタ６０は、リーダ・ライタ１０と比較して広い範囲で複数の無線ＩＣタグ５０を読み取る。
【００６２】
照合用テーブル２４０は、無線ＩＣタグ５０からＩＤ番号が読み取られた生体情報を記憶するテーブルである。図７は、照合用テーブル２４０の一例を示す図である。同図に示すように、この照合用テーブル２４０は、生体情報テーブル１３０から読み出されたＩＤ番号と生体情報を対応させて記憶する。
【００６３】
照合用情報更新処理部２５０は、リーダ・ライタ６０が無線ＩＣタグ５０から読み取った最新のＩＤ番号に対応する生体情報だけが照合用テーブル２４０に格納されるように照合用テーブル２４０を更新する処理部である。
【００６４】
具体的には、この照合用情報更新処理部２５０は、一定の周期で無線ＩＣタグ５０から読み取られたＩＤ番号を受け取り、照合用テーブル２４０に格納されているＩＤ番号と比較する。そして、受け取ったＩＤ番号が照合用テーブル２４０に無い場合にはそのＩＤ番号の生体情報を生体情報テーブル１３０から読み出してＩＤ番号とともに照合用テーブル２４０に格納し、照合用テーブル２４０にあるＩＤ番号のうち受け取ったＩＤ番号に無いものについてはそのＩＤ番号および生体情報を照合用テーブル２４０から削除する。
【００６５】
このように、この照合用情報更新処理部２５０が、リーダ・ライタ６０が無線ＩＣタグ５０から読み取った最新のＩＤ番号に対応する生体情報だけが照合用テーブル２４０に格納されるように照合用テーブル２４０を更新することによって、入室を希望しない無線ＩＣタグ５０保持者がたまたまリーダ・ライタ６０の読み取り範囲に入った場合に、その生体情報が照合用テーブル２４０に格納されて照合対象となることを防ぐことができる。
【００６６】
照合処理部２６０は、生体認証装置３０から送られてくる生体情報を照合テーブル２４０に格納された生体情報と照合する処理部である。
【００６７】
次に、本実施例２に係る生体認証システムの処理手順について説明する。図８は、本実施例２に係る生体認証システムの処理手順を示すフローチャートである。同図に示すように、この生体認証システムは、生体情報照合装置２００のリーダ・ライタ制御部２１０の指示に基づいてリーダ・ライタ６０が一定の周期で所定のエリア（領域）内にある全ての無線ＩＣタグ５０を読み取り（ステップＳ２０１）、読み取った全てのタグ情報、すなわち全てのＩＤ番号を生体情報照合装置２００に送信する（ステップＳ２０２）。
【００６８】
そして、リーダ・ライタ制御部２１０を介してＩＤ番号を受け取った照合用情報更新処理部２５０は、受け取った全ＩＤ番号を照合用テーブル２４０のＩＤ番号と比較し（ステップＳ２０３）、エリア内に無いＩＤ番号が照合用テーブル２４０にある場合には（ステップＳ２０４、Ｙｅｓ）、そのＩＤ番号および対応する生体情報を照合用テーブル２４０から削除する（ステップＳ２０５）。
【００６９】
また、照合用テーブル２４０に無い新しいＩＤ番号がエリア内にある場合には（ステップＳ２０６、Ｙｅｓ）、そのＩＤ番号の生体情報を生体情報テーブル１３０から検索し（ステップＳ２０７）、照合用テーブル２４０にＩＤ番号とともに格納する（ステップＳ２０８）。
【００７０】
以降、生体情報照合装置２００は、ステップＳ２０９〜ステップＳ２１８の処理において、照合用テーブル１４０の代わりに照合用テーブル２４０を用いる他は図５に示した処理手順のステップＳ１０６〜Ｓ１１５と同様に、生体認証装置３０から送られてくる生体情報の照合を行い、入室許可処理または入室拒否処理を行う。
【００７１】
上述してきたように、本実施例２では、リーダ・ライタ制御ブ２１０がリーダ・ライタ６０を用いて一定の周期で所定の範囲の無線ＩＣタグ５０を読み取り、無線ＩＣタグ５０から読み取られた最新のＩＤ番号の生体情報が照合対象となるように照合用情報更新処理部２５０が照合用テーブル２４０を更新することとしたので、所定の範囲にいる入室希望者だけを対象として照合用テーブル２４０を作成し、照合対象を適切に絞り込むことができる。
【実施例３】
【００７２】
ところで、上記実施例２では、リーダ・ライタ６０が所定の範囲の無線ＩＣタグ５０を全て読み取る場合について説明したが、所定の範囲の無線ＩＣタグ５０を全て読み取ると、読み取る無線ＩＣタグ５０の数が多すぎてしまう場合がある。そこで、本実施例３では、読み取る無線ＩＣタグ５０の数を制限する生体情報照合装置について説明する。
【００７３】
まず、本実施例３に係る生体情報照合装置３００の構成について説明する。図９は、本実施例３に係る生体情報照合装置３００の構成を示す機能ブロック図である。同図に示すように、この生体情報照合装置３００は、図６に示した生体情報照合装置２００と比較すると、リーダ・ライタ制御部２１０の代わりにリーダ・ライタ制御部３１０を有し、照合用情報更新処理部２５０の代わりに照合用情報更新処理部３５０を有する。
【００７４】
リーダ・ライタ制御部３１０は、一定の周期でリーダ・ライタ７０に無線ＩＣタグ５０の読み取りを指示するとともに、リーダ・ライタ７０に読み取り出力を変更することを指示する制御部である。すなわち、このリーダ・ライタ制御部３１０が無線ＩＣタグ５０の読み取りを指示するリーダ・ライタ７０は、無線ＩＣタグ５０を読み取る場合に読み取り用に出力する電波の強さを変化させることができるリーダ・ライタである。
【００７５】
照合用情報更新処理部３５０は、リーダ・ライタ７０が無線ＩＣタグ５０から読み取った最新のＩＤ番号に対応する生体情報だけが照合用テーブル２４０に格納されるように照合用テーブル２４０を更新するとともに、一回に読み取る無線ＩＣタグ５０の数が５以内になるようにリーダ・ライタ制御部３１０に指示する処理部である。なお、ここでは、一回に読み取る無線ＩＣタグ５０の数を５以内としているが、この数は任意の数とすることができる。
【００７６】
この照合用情報更新処理部３５０が、一回に読み取る無線ＩＣタグ５０の数が５以内になるようにリーダ・ライタ制御部３１０に指示することによって、不必要に多くの生体情報が照合対象となることを防ぐことができる。
【００７７】
次に、本実施例３に係る生体認証システムの処理手順について説明する。図１０は、本実施例３に係る生体認証システムの処理手順を示すフローチャートである。同図に示すように、この生体認証システムは、生体情報照合装置３００のリーダ・ライタ制御部３１０の指示に基づいてリーダ・ライタ７０が一定の周期で所定のエリア（領域）内にある全ての無線ＩＣタグ５０を読み取り（ステップＳ３０１）、読み取った全てのタグ情報、すなわち全てのＩＤ番号を生体情報照合装置３００に送信する（ステップＳ３０２）。
【００７８】
そして、リーダ・ライタ制御部３１０を介してＩＤ番号を受け取った照合用情報更新処理部３５０は、リーダ・ライタ７０が読み取った無線ＩＣタグ５０の件数が５以内であるか否かを判定し（ステップＳ３０３）、５以内でない場合には、リーダ・ライタ制御部３１０を介してリーダ・ライタ７０に読み取りの出力を下げて再読み込みを指示する（ステップＳ３０４）。
【００７９】
一方、リーダ・ライタ７０が読み取った無線ＩＣタグ５０の件数が５以内である場合には、照合用情報更新処理部３５０は、件数が零であるか否かを判定し（ステップＳ３０５）、件数が零である場合には、無線ＩＣタグ５０の読み込み周期だけ待ち、この周期内に生体情報が入力されたか否かを判定する（ステップＳ３０６）。
【００８０】
その結果、生体情報が入力された場合には、無線ＩＣタグ５０の読み取りに失敗した場合と考えられるため、リーダ・ライタ制御部３１０を介してリーダ・ライタ７０に読み取りの出力を上げて再読み込みを指示し（ステップＳ３０７）、生体情報が入力されない場合には、入室希望者がいない場合と考えられるので、ステップＳ３０１に戻って次の周期の無線ＩＣタグ５０の読み取りを行う。
【００８１】
また、リーダ・ライタ７０が読み取った無線ＩＣタグ５０の件数が零でない場合には、ステップＳ３０８〜ステップＳ３２３において、図８に示したステップＳ２０３〜ステップＳ２１８の処理と同様に、照合用テーブル２４０の更新と生体認証装置３０から送られる生体情報の照合を行い、入室許可処理または入室拒否処理を行う。
【００８２】
上述してきたように、本実施例３では、照合用情報更新処理部３５０がリーダ・ライタ７０により読み取られた無線ＩＣタグ５０の件数に基づいてリーダ・ライタ７０の出力をリーダ・ライタ制御部３１０を介して制御することとしたので、読み取り環境の変化に対応して無線ＩＣタグ５０を読み取ることができる。
【００８３】
なお、本実施例１、２および３では、生体情報照合装置について説明したが、生体情報照合装置が有する構成をソフトウェアによって実現することで、同様の機能を有する生体情報照合プログラムを得ることができる。そこで、この生体情報照合プログラムを実行するコンピュータについて説明する。
【００８４】
図１１は、本実施例１，２および３に係る生体情報照合プログラムを実行するコンピュータの構成を示す機能ブロック図である。同図に示すように、このコンピュータ４００は、ＲＡＭ４１０と、ＣＰＵ４２０と、ＨＤＤ４３０と、ＬＡＮインタフェース４４０と、入出力インタフェース４５０と、ＤＶＤドライブ４６０とを有する。
【００８５】
ＲＡＭ４１０は、プログラムやプログラムの実行途中結果などを記憶するメモリであり、ＣＰＵ４２０は、ＲＡＭ４１０からプログラムを読み出して実行する中央処理装置である。
【００８６】
ＨＤＤ４３０は、プログラムやデータを格納するディスク装置であり、ＬＡＮインタフェース４４０は、コンピュータ４００をＬＡＮ４０経由で生体認証装置３０、リーダ・ライタ、他のコンピュータなどに接続するためのインタフェースである。
【００８７】
入出力インタフェース４５０は、マウスやキーボードなどの入力装置および表示装置を接続するためのインタフェースであり、ＤＶＤドライブ４６０は、ＤＶＤの読み書きを行う装置である。
【００８８】
そして、このコンピュータ４００において実行される生体情報照合プログラム４１１は、ＤＶＤに記憶され、ＤＶＤドライブ４６０によってＤＶＤから読み出されてコンピュータ４００にインストールされる。
【００８９】
あるいは、この生体情報照合プログラム４１１は、ＬＡＮインタフェース４４０を介して接続された他のコンピュータシステムのデータベースなどに記憶され、これらのデータベースから読み出されてコンピュータ４００にインストールされる。
【００９０】
そして、インストールされた生体情報照合プログラム４１１は、ＨＤＤ４３０に記憶され、ＲＡＭ４１０に読み出されてＣＰＵ４２０によって生体情報照合プロセス４２１として実行される。
【００９１】
また、本実施例１、２および３では、本発明を入室が制限された部屋への入室制御に適用した場合について説明したが、本発明はこれに限定されるものではなく、例えば、銀行ＡＴＭからの出金時に個人の認証を行う場合にも同様に適用することができる。
【００９２】
（付記１）個人を識別する個人識別子と該個人の生体情報とを対応させて記憶した生体情報記憶手段を用いて生体情報の照合を行う生体情報照合装置であって、
前記生体情報記憶手段が記憶する生体情報の一部を記憶する照合用情報記憶手段と、
ＲＦＩＤタグから読み出した個人識別子に対応する生体情報を前記生体情報記憶手段から読み出して前記照合用情報記憶手段が記憶する生体情報を更新する照合用情報更新手段と、
生体認証装置により入力された生体情報を前記照合用情報更新手段により更新された照合用情報記憶手段に記憶された生体情報と照合する照合手段と、
を備えたことを特徴とする生体情報照合装置。
【００９３】
（付記２）前記照合用情報更新手段は、ＲＦＩＤタグから読み出した個人識別子に対応する生体情報を前記生体情報記憶手段から読み出して前記照合用情報記憶手段に追加する際に、該照合用情報記憶手段に記憶される生体情報の数が所定の値以内になるように制御することを特徴とする付記１に記載の生体情報照合装置。
【００９４】
（付記３）前記照合用情報更新手段は、ＲＦＩＤタグから一定の周期で読み出す個人識別子のうちの最新の個人識別子に対応する生体情報を前記照合用情報記憶手段が記憶するように該照合用情報記憶手段を更新することを特徴とする付記１に記載の生体情報照合装置。
【００９５】
（付記４）前記照合用情報更新手段は、ＲＦＩＤタグから一定の周期で読み出す個人識別子のうちの最新の個人識別子に対応する生体情報のみを前記照合用情報記憶手段が記憶するように該照合用情報記憶手段を更新することを特徴とする付記３に記載の生体情報照合装置。
【００９６】
（付記５）ＲＦＩＤタグから読み出した個人識別子の数が所定の値より大きい場合には、リーダ・ライタがＲＦＩＤタグを読み込む際の出力を下げるように制御する出力制御手段をさらに備えたことを特徴とする付記３または４に記載の生体情報照合装置。
【００９７】
（付記６）前記出力制御手段は、ＲＦＩＤタグから読み出した個人識別子の数が零の状態で生体認証装置から生体情報が読み込まれた場合には、リーダ・ライタがＲＦＩＤタグを読み込む際の出力を上げるように制御することを特徴とする付記５に記載の生体情報照合装置。
【００９８】
（付記７）個人を識別する個人識別子と該個人の生体情報とを対応させて記憶した生体情報記憶手段を用いて生体情報の照合を行う生体情報照合方法であって、
ＲＦＩＤタグから読み出した個人識別子に対応する生体情報を前記生体情報記憶手段から読み出して該生体情報記憶手段が記憶する生体情報の一部を記憶する照合用情報記憶手段を更新する照合用情報更新工程と、
生体認証装置により入力された生体情報を前記照合用情報更新工程により更新された照合用情報記憶手段に記憶された生体情報と照合する照合工程と、
を含んだことを特徴とする生体情報照合方法。
【００９９】
（付記８）前記照合用情報更新工程は、ＲＦＩＤタグから読み出した個人識別子に対応する生体情報を前記生体情報記憶手段から読み出して前記照合用情報記憶手段に追加する際に、該照合用情報記憶手段に記憶される生体情報の数が所定の値以内になるように制御することを特徴とする付記７に記載の生体情報照合方法。
【０１００】
（付記９）前記照合用情報更新工程は、ＲＦＩＤタグから一定の周期で読み出す個人識別子のうちの最新の個人識別子に対応する生体情報を前記照合用情報記憶手段が記憶するように該照合用情報記憶手段を更新することを特徴とする付記７に記載の生体情報照合方法。
【０１０１】
（付記１０）前記照合用情報更新工程は、ＲＦＩＤタグから一定の周期で読み出す個人識別子のうちの最新の個人識別子に対応する生体情報のみを前記照合用情報記憶手段が記憶するように該照合用情報記憶手段を更新することを特徴とする付記９に記載の生体情報照合方法。
【０１０２】
（付記１１）ＲＦＩＤタグから読み出した個人識別子の数が所定の値より大きい場合には、リーダ・ライタがＲＦＩＤタグを読み込む際の出力を下げるように制御する出力制御工程をさらに備えたことを特徴とする付記９または１０に記載の生体情報照合方法。
【０１０３】
（付記１２）前記出力制御工程は、ＲＦＩＤタグから読み出した個人識別子の数が零の状態で生体認証装置から生体情報が読み込まれた場合には、リーダ・ライタがＲＦＩＤタグを読み込む際の出力を上げるように制御することを特徴とする付記１１に記載の生体情報照合方法。
【０１０４】
（付記１３）個人を識別する個人識別子と該個人の生体情報とを対応させて記憶した生体情報記憶手段を用いて生体情報の照合を行う生体情報照合プログラムであって、
ＲＦＩＤタグから読み出した個人識別子に対応する生体情報を前記生体情報記憶手段から読み出して該生体情報記憶手段が記憶する生体情報の一部を記憶する照合用情報記憶手段を更新する照合用情報更新手順と、
生体認証装置により入力された生体情報を前記照合用情報更新手順により更新された照合用情報記憶手段に記憶された生体情報と照合する照合手順と、
をコンピュータに実行させることを特徴とする生体情報照合プログラム。
【０１０５】
（付記１４）前記照合用情報更新手順は、ＲＦＩＤタグから読み出した個人識別子に対応する生体情報を前記生体情報記憶手段から読み出して前記照合用情報記憶手段に追加する際に、該照合用情報記憶手段に記憶される生体情報の数が所定の値以内になるように制御することを特徴とする付記１３に記載の生体情報照合プログラム。
【０１０６】
（付記１５）前記照合用情報更新手順は、ＲＦＩＤタグから一定の周期で読み出す個人識別子のうちの最新の個人識別子に対応する生体情報を前記照合用情報記憶手段が記憶するように該照合用情報記憶手段を更新することを特徴とする付記１３に記載の生体情報照合プログラム。
【０１０７】
（付記１６）前記照合用情報更新手順は、ＲＦＩＤタグから一定の周期で読み出す個人識別子のうちの最新の個人識別子に対応する生体情報のみを前記照合用情報記憶手段が記憶するように該照合用情報記憶手段を更新することを特徴とする付記１５に記載の生体情報照合プログラム。
【０１０８】
（付記１７）ＲＦＩＤタグから読み出した個人識別子の数が所定の値より大きい場合には、リーダ・ライタがＲＦＩＤタグを読み込む際の出力を下げるように制御する出力制御手順をさらにコンピューに実行させることを特徴とする付記１５または１６に記載の生体情報照合プログラム。
【０１０９】
（付記１８）前記出力制御手順は、ＲＦＩＤタグから読み出した個人識別子の数が零の状態で生体認証装置から生体情報が読み込まれた場合には、リーダ・ライタがＲＦＩＤタグを読み込む際の出力を上げるように制御することを特徴とする付記１７に記載の生体情報照合プログラム。
【産業上の利用可能性】
【０１１０】
以上のように、本発明に係る生体情報照合装置、生体情報照合方法および生体情報照合プログラムは、生体情報を利用した認証システムに有用であり、特に、生体情報の照合を高速化したい場合に適している。
【図面の簡単な説明】
【０１１１】
【図１】本実施例１に係る生体認証システムの概念を説明するための説明図である。
【図２】本実施例１に係る生体情報照合装置１００の構成を示す機能ブロック図である。
【図３】生体情報テーブル１３０の一例を示す図である。
【図４】照合用テーブル１４０の一例を示す図である。
【図５】本実施例１に係る生体認証システムの処理手順を示すフローチャートである。
【図６】本実施例２に係る生体情報照合装置２００の構成を示す機能ブロック図である。
【図７】照合用テーブル２４０の一例を示す図である。
【図８】本実施例２に係る生体認証システムの処理手順を示すフローチャートである。
【図９】本実施例３に係る生体情報照合装置３００の構成を示す機能ブロック図である。
【図１０】本実施例３に係る生体認証システムの処理手順を示すフローチャートである。
【図１１】本実施例１，２および３に係る生体情報照合プログラムを実行するコンピュータの構成を示す機能ブロック図である。
【符号の説明】
【０１１２】
１０，６０，７０    リーダ・ライタ
２０    アンテナ
３０    生体認証装置
４０    ＬＡＮ
５０    無線ＩＣタグ
１００，２００，３００    生体情報照合装置
１０５    入室希望者検出部
１１０，２１０，３１０    リーダ・ライタ制御部
１２０    生体認証装置制御部
１３０    生体情報テーブル
１４０，２４０    照合用テーブル
１５０，２５０，３５０    照合用情報更新処理部
１６０，２６０    照合処理部
１７０    入室拒否処理部
１８０    入室許可処理部
１９０    入室履歴データ記憶部
４００    コンピュータ
４１０    ＲＡＭ
４１１    生体情報照合プログラム
４２０    ＣＰＵ
４２１    生体情報照合プロセス
４３０    ＨＤＤ
４４０    ＬＡＮインタフェース
４５０    入出力インタフェース
４６０    ＤＶＤドライブ
【図１】
2007066107.tif 000003
【図２】
2007066107.tif 000004
【図３】
2007066107.tif 000005
【図４】
2007066107.tif 000006
【図５】
2007066107.tif 000007
【図６】
2007066107.tif 000008
【図７】
2007066107.tif 000009
【図８】
2007066107.tif 000010
【図９】
2007066107.tif 000011
【図１０】
2007066107.tif 000012
【図１１】
2007066107.tif 000013